(57)【特許請求の範囲】
【請求項１】
遊戯機器とこの遊戯機器を使用するためのコイン又はパチンコ玉を貸出すための貸出機とを支持する金属材料から形成される遊戯機器及び貸出機の支持枠において、
前記支持枠は、前記遊戯機器及び貸出機の下端位置に設けられる下部支持部と、この下部支持部の上部で前記遊戯機器及び貸出機を収納する中段位置に設けられる中段支持部と、この中段支持部の上部で前記遊戯機器及び貸出機の上端位置に設けられる上部支持部とからなり、
前記中段支持部は、前記上部支持部と前記下部支持部とを接続して支持する支持柱により構成され、前記支持柱が前記遊戯機器及び貸出機の側面に隣接するとともに、前記遊戯機器及び貸出機の前面と同一平面となるように配置され
前記下部支持部は、前記支持柱の下方に延出して設けた支持柱下部延出部と、この支持柱下部延出部に沿って前記遊戯機器及び貸出機を支持する下部機器支持枠と、この下部機器支持枠を前記支持柱下部延出部に沿って前記下部機器支持枠に支持された前記遊戯機器及び貸出機を上下移動するための位置調整手段と、前記遊戯機器及び貸出機の前面側および後面側の前記支持柱に亘って設置される下部連結板とを有し、
前記下部連結板は、前記支持柱の間隔に等しく形成された底板と、この底板から垂直に立ち上げた補強板と、前記底板の両端部から垂直に立設した立上板とを有し、
前記支持柱の下方に延出して設けた支持柱下部延出部は、その下部に床面に固定されたアンカーボルトと係止するための床面固定手段を有し、この床面固定手段が、前記支持枠の高さを調整する調整部を有し、
前記床面固定手段の一つに対して少なくとも前記アンカーボルトの２本が係止されるように設置され、前記床面固定手段は、前記アンカーボルトの数に対応する前記調整部を備えることを特徴とする遊戯機器及び貸出機の支持枠。
【請求項２】
前記位置調整手段により前記遊戯機器と貸出機とを下に移動させた場合、この遊戯機器及び貸出機の上端位置と前記上部支持部との間に生じた間隙にスペーサーを嵌挿し、このスペーサーを介して前記遊戯機器及び貸出機の上端位置を前記上部支持部に支持し、前記スペーサーに前記コインを収納する収納ケースの収納部を設けることを特徴とする請求項１記載の遊戯機器及び貸出機の支持枠。
【発明の詳細な説明】
【０００１】
【発明の属する技術分野】
本発明は、パチンコ台並びにパチスロ台等の遊戯機器及びこの遊戯機器を使用するためのコイン又はパチンコ玉を貸出すための貸出機を支持する支持枠に関する。
【０００２】
【従来の技術】
一般に、遊戯機器としてのパチンコ台やパチスロ台を支持する支持枠は、パチンコ台やパチスロ台の設置高さを勘案して木製で形成されていた。この木製の支持枠では、遊戯場の内装変更等でパチンコ台からパチスロ台に遊戯機器の変更を行う場合には、遊戯機器の設置高さの変更が非常に難しく、結局、最初から支持枠を作り直さなければならない場合が多かった。
このような事情に鑑み、遊戯機器の変更を容易にするために、高さ調整機能を有した金属製の支持枠が提案されている。
【０００３】
また、最近、遊戯機器の電子化、複雑化に伴い支持枠内部に玉搬送装置や、電子部品の配線を収納するために、支持枠内部に広い空間を確保するとともに、支持枠の剛性を上げることが求められている。
【０００４】
また、遊戯機器に隣接してパチンコ玉、コイン等を貸出すための貸出機を設けることが行われている。従来は右手でパチンコ台及びパチスロ台を操作し、左手で貸出機を操作する都合上、貸出機は遊戯機器の左側に設置することが一般的であった。しかし、最近、一部の遊戯機器においては、貸出機を遊戯機器の右側に設置することが行われるようになっており、これに対応する支持枠が求められている。
【０００５】
ここで従来技術の一例（特許第３０１８２３９号）を図８に示す（以下第一の引例と言う）。この支持枠は床側に固定される下部フレーム体１０３と、前記下部フレーム体１０３の上部側に接続フレーム１０４，１０５を介して設けられ、パチンコ台またはパチスロ台の上端部を支持する上部フレーム体１０２と、前記パチンコ台またはパチスロ台の下端部を支持する下端支持部１０７と、前記上部フレーム体１０２または下端支持部１０７の少なくとも一方を上下移動自在とする位置調整手段１０９とを有し、前記下端支持部１０７が前記位置調整手段１０９を介して前記下部フレーム体１０３に上下移動自在に設けられているパチンコ台及びパチスロ台の支持枠である。
【０００６】
この支持枠は、金属製であり、遊戯機器の高さを調整するための位置調整手段１０９が設けられている。そのため、パチンコ台及びパチスロ台相互の遊戯機器の機種変更は比較的容易にできる。  また、接続フレーム１０４，１０５が支持枠の内部に存在し、支持枠の表面側に自在に遊戯機器及び貸出機を設置できるので、貸出機を遊戯機器の左右どちら側にでも設置可能である。
【０００７】
また、図９に第２の従来法（以下第二の引例と言う）を示す（特願平１１−２５７２４０号）。
第二の引例では、遊戯機器及びこの遊戯機器に隣接した貸出機とをその両側に設けた支持柱２０１を介して支持する支持枠２０Ｆであって、前記支持柱２０１の中段位置に形成され前記遊戯機器を支持する中段枠部２０Ａと、この中段枠部２０Ａの上部に形成される上部枠部２０Ｃと、前記中段枠部２０Ａの下部に形成される下部枠部２０Ｂとから構成され、前記支持柱２０１は、前記遊戯機器の左右に配置される。この前記支持柱２０１はその一方が前記中段枠部２０Ａの位置で前記貸出機を支持するため、その遊戯機器側に向けて開口を形成するとともに、前記貸出機の上方または下方の少なくとも一方に隙間を開けた状態で形成された間隙支持枠部２０９を備え、前記間隙支持枠部２０９には、前記貸出機との前記隙間を隠蔽するとともに、その貸出機の上方および下方で前記支持柱２０１に当接して支持される隠蔽板が取り付けられた支持枠が提案されている。
【０００８】
また、この支持枠ではパチンコ台の下端を支持する支持台２０２は下部枠部２０Ｂに設けられている。具体的には、左右の下部幅広柱２０１ｃ、２０１ｃの内面側に沿って設けられた支持脚２０２ｂ、２０２ｂと、この支持脚２０２ｂ、２０２ｂの上端に設けられた支持台座２０２ａと、を有している。
そして、この支持台２０２を上下に移動可能に支持する台上下機構２０５は、左右の下部幅広柱２０１ｃ、２０１ｃの内面側で対面する位置に設けられた前記支持脚２０２ｂ、２０２ｂと、この支持脚２０２ｂ、２０２ｂに形成された取付穴２０５ｂ、２０５ｂと、支持ボルト２０５ｃとからなる。
そして、支持脚２０２ｂに設けられた支持孔２０５ａ，２０５ａと取付穴２０５ｂ、２０５ｂが整合する位置で、支持ボルト２０５ｃにより支持脚２０２ｂと下部幅広柱２０１ｃとを固定している。
この支持枠は、遊戯機器の高さ調整機構を持ち、遊戯機器の機種変更を容易に行うことが可能である。
【０００９】
【発明が解決しようとする課題】
しかし、第一の引例においては、接続フレーム１０４，１０５が遊戯機器の裏側（支持枠の内部）に存在するので、玉搬送装置、配線等を収納する空間が足りなかった。
【００１０】
また、第二の引例においては、貸出機を支持柱２０１の中段枠部２０Ａに設けた開口に設置するために、基本的に遊戯機器の左右どちらかの側にしか貸出機を設置できなかった（図９では左側）。
【００１１】
もちろん、支持柱２０１に開ける開口を左右逆向きとすれば、貸出機を遊戯機器の右側に隣接することも可能である。しかし、そのためには支持柱２０１の開口を右側とした支持柱（２０１）を新たに製造しなければならなかった。また、交換に当っては、支持枠を分解して支持柱（２０１）を交換せねばならず非常に操作性が悪かった。
【００１２】
また、この第二の引例では、支持柱２０１として太い柱を用い、その太い柱を特別に加工して開口部を形成せねばならず、支持柱２０１を形成するために非常な手間を要した。
【００１３】
上述のように、従来の方法では、支持枠内部の空間を広くするとともに、貸出機を遊戯機器の左右どちら側にも設置可能とする、という２つの要求を同時に満たすような支持枠は提案されていなかった。
【００１４】
また、支持枠の遊技場の床面への固定は、床面に埋設されたアンカーボルトを支持枠の底部に設けられたアンカーボルト貫通孔に貫通させナット締めすることで行っていた。しかし、複数の支持枠を連結してパチンコ島（支持枠を連結して複数の遊戯機器を設置したもの）とする場合に、床面は完全には水平ではないために、各々の支持枠の高さに微妙に差異が発生したり、支持枠が垂直に立設せず傾斜が発生することがあり、このような床面の微妙な凹凸を吸収できる支持枠が求められていた。
【００１５】
さらに、従来は支持枠の四隅の支持柱に一本ずつ、合計４本のアンカーボルトを用いて支持枠を床面に固定していた。パチンコ島は、まず１台目の支持枠を床面に固定し、１台目に連結して２台目、３台目…と所望の数だけ支持枠を継ぎ足していくことで形成される。従来は１本の支持柱を１本のアンカーボルトで固定していたために、アンカーボルトを貫通孔に貫通させナットで固定する際に、どうしてもアンカーボルトを中心として支持柱が微妙に回転してしまっていた。通常の場合、アンカーボルトを設置する貫通孔は支持柱の中心と異なる位置にあるために、支持柱がアンカーボルトを中心として回転すると支持柱の設置角度及び位置に微妙な揺らぎが発生する。このため、２台目、３台目と支持枠を継ぎ足してパチンコ島を完成すると、本来は、上空から見た場合に長方形となるはずのパチンコ島が、支持枠ごとにガタつくという不具合が発生することがあった。
【００１６】
このような事情に鑑み本発明は、
▲１▼支持枠内部に広い空間を確保するとともに、
▲２▼支持枠の構造を大きく変更することなく、貸出機を遊戯機器の左右どちらにも容易に設置でき、
▲３▼遊戯機器及び貸出機の上下移動が容易にでき、
▲４▼支持枠を形成する材料として規格品を用いることができ、
▲５▼支持枠の高さ調整を容易に行うことが可能であり、
▲６▼支持柱のアンカーボルトを中心とする回転を抑制可能な、
支持枠を提供することを課題とする。
【００１７】
【課題を解決するための手段】
本発明は、上記の問題点を解決するために以下のような構成とした。
【００１８】
すなわち、本発明は、遊戯機器とこの遊戯機器を使用するためのコイン又はパチンコ玉を貸出すための貸出機とを支持する金属材料から形成される遊戯機器及び貸出機の支持枠において、前記支持枠は、前記遊戯機器及び貸出機の下端位置に設けられる下部支持部と、この下部支持部の上部で前記遊戯機器及び貸出機を収納する中段位置に設けられる中段支持部と、この中段支持部の上部で前記遊戯機器及び貸出機の上端位置に設けられる上部支持部とから構成されている。そして、当該支持枠は、前記中段支持部が、前記上部支持部と前記下部支持部とを接続して支持する支持柱により構成され、前記支持柱が前記遊戯機器及び貸出機の側面に隣接するとともに、前記遊戯機器及び貸出機の前面と同一平面となるように配置され、前記下部支持部が、前記支持柱の下方に延出して設けた支持柱下部延出部と、この支持柱下部延出部に沿って前記遊戯機器及び貸出機を支持する下部機器支持枠と、この下部機器支持枠を前記支持柱下部延出部に沿って前記下部機器支持枠に支持された前記遊戯機器及び貸出機を上下移動するための位置調整手段と、前記遊戯機器及び貸出機の前面側および後面側の前記支持柱に亘って設置される下部連結板とを有している。さらに、当該支持枠は、前記下部連結板が、前記支持柱の間隔に等しく形成された底板と、この底板から垂直に立ち上げた補強板と、前記底板の両端部から垂直に立設した立上板とを有し、前記支持柱の下方に延出して設けた支持柱下部延出部が、その下部に床面に固定されたアンカーボルトと係止するための床面固定手段を有し、この床面固定手段が、前記支持枠の高さを調整する調整部を有し、前記床面固定手段の一つに対して少なくとも前記アンカーボルトの２本が係止されるように設置され、前記床面固定手段は、前記アンカーボルトの数に対応する前記調整部を備える構成とした。
【００１９】
本構成においては、遊戯機器及び貸出機を上下動自在とする位置調整手段を有しているので、遊戯機器の機種変更にともない、遊戯機器及び貸出機の高さ調整を容易に行うことが可能となる。また、従来は支持枠の内部に存在した支持柱を遊戯機器表面と同一平面をなすように表側に露出させ、この支持柱により遊戯機器及び貸出機の側面を支持することとしたので、遊戯機器及び貸出機の支持性を高めるとともに、支持枠の内部空間を広く確保することが可能となり、支持枠内部に遊戯機器の稼動に必要な各種の機器を設置するための自由度が高くなった。ここで、支持柱が「遊戯機器及び貸出機の前面と同一平面となる」とは、遊戯機器及び貸出機の表面と支持柱の表面が完全に同一平面になる場合だけではなく、支持柱が遊戯機器表面とともに表側に露出していれば、支持柱表面が遊戯機器表面に対して凹となった状態及び支持柱表面が遊戯機器表面に対して凸となった状態であってもよい。
また、当該支持枠は、遊戯場の床面に微妙な凹凸が存在しても、床面固定手段の調整部により各々の支持枠の高さを微調整できるために、床面に設置された支持枠の高さを揃えるとともに、支持枠を床面に対して水平に設置することが可能となった。さらに、当該支持枠は、ひとつひとつの床面固定手段がそれぞれ少なくとも２本のアンカーボルトで固定されるために、従来問題となっていた、アンカーボルトを中心とする支持柱の回転を抑制することが可能となった。
【００２０】
さらに、本支持枠においては、第２の引例のように幅広の支持柱の開口部に貸出機を収納する構成を採用せず、両側に支持柱を有する中段支持部に遊戯機器と貸出機とを一組毎に保持する構成とした。さらに、中段支持部には、一方側と他方側（左右）で構造に特別な差異が無いので、貸出機を遊戯機器の左右どちら側にでも設置可能である。このように、本発明では、前述の支持枠の内部空間を広く確保することと両立して、貸出機を遊戯機器の左右どちら側にでも設置することが可能となった。
【００２１】
また、本発明は、前記位置調整手段により前記遊戯機器と貸出機とを下に移動させた場合、この遊戯機器及び貸出機の上端位置と前記上部支持部との間に生じた間隙にスペーサーを嵌挿し、このスペーサーを介して前記遊戯機器及び貸出機の上端位置を前記上部支持部に支持し、前記スペーサーに前記コインを収納する収納ケースの収納部を設けることを特徴とする前記の遊戯機器及び貸出機の支持枠という構成とした。
【００２２】
この構成は、遊戯機器の機種変更を行う場合を想定したものである。例えば遊戯機器をパチンコ台からパチスロ台に変更する場合には、遊戯機器及び貸出機の設置高さを下げなければならない。この際、パチスロ台及び貸出機の上端位置と前記上部支持部との間に間隙が生じてしまう。本構成では、この間隙に嵌挿したスペーサーを介して遊戯機器及び貸出機の上端位置を前記上部支持部で支持することとした。
【００２５】
【発明の実施の形態】
以下、本発明の実施の一形態を図面に基づいて説明する。
図１は、本発明の支持枠の斜視図、図２、３は、支持枠の要部拡大図、図４は位置調整機構と、床面固定手段の要部拡大図、図５パチンコ台とパチスロ台を配置した状態の側面図、図６（ａ）、（ｂ）は、遊戯機器と貸出機とを本発明の支持枠に設置した状態の正面図、図７はアンカーボルトに固定された支持枠を上空から見た時の模式図を示す。
【００２６】
以下図１を用いて本実施の形態における支持枠Ｅを説明する。本実施の形態の支持枠Ｅは、遊戯機器及び貸出機の上端位置を固定するための水平な上部機器支持板２を少なくとも有する上部支持部Ａと、遊戯機器と貸出機の下端位置を支持する水平な下部機器支持枠３を少なくとも有する下部支持部Ｃと、この遊戯機器と貸出機の側面部を支持するとともに前記下部支持部Ｃと前記上部支持部Ａとを接続する２本の床面に対して鉛直な支持柱１を有する中段支持部Ｂ、とからなる。
図１には、図面右側に存在する支持柱１，１を共有して２台の支持枠が連結された様子を示している。
【００２７】
以下、一つの支持枠Ｅに並んで固定される一台の遊戯機器と一台の貸出機の組み合せを「１組の機器セット」という。
【００２８】
１組の機器セットは、中段支持部Ｂに設置され、前記１組の機器セットの上端位置を上部支持部Ａが支持し、下端位置を下部支持部Ｃが支持する構成となっている。
中段支持部Ｂは１組の機器セットの側面を支持するための床面に対して鉛直に立設した一方と他方の支持柱１を有している。
【００２９】
この支持柱１は１組の機器セットの側面を支持するとともに、前記下部支持部Ｃと前記上部支持部Ａとを接続してさらに上下に延出している。この下に延出した支持柱１（以下支持柱下部延出部１ｂという）は、前記下部支持部Ｃを構成する１部材であるともに、最下部は床面と接している。また、上に延出した支持柱１（以下支持柱上部延出部１ａという）は、前記上部支持部Ａを構成する１部材であるととともに、支持枠Ｅの上端を形成している。
【００３０】
上部支持部Ａは、上部機器支持板２、上部連結板４、前後連結柱５、左右連結柱６、支持柱上部延出部１ａとからなる。
上部機器支持板２は、略中央部に開口を有する板状の部材であり、前記一方と他方の支持柱１を亘って両者を係合するとともに、１組の機器セットの上端位置を支持している。
【００３１】
上部連結板４は、前面側と後面側の前記支持柱１を亘って設置された板状の部材であり、前記上部機器支持板２の下端付近の高さに設置されている。この上部連結板４は、前面側と後面側の前記支持柱１を係合することで、支持枠Ｅの剛性を高めている。
【００３２】
左右連結柱６は、前記一方と他方の支持柱１を亘って両者を係合する。この左右連結柱６は断面がコ字形であり、コ字形の凹溝は、支持枠内部方向に開口している。この左右連結柱６は、前記支持柱１の最上部に設置されており、一方と他方の支持柱１を係合することで、支持枠Ｅの剛性を高めている。
【００３３】
前後連結柱５は、前面側と後面側の前記支持柱１を亘って設置された柱状の部材である。この前後連結柱５は、前記断面コの字形の左右連結柱６が有する支持枠内部方向に開口した凹溝に端部が嵌合され固定される。このように、前後連結柱５は左右連結柱６の凹溝に嵌合されながら、前面側と後面側の支持柱１を係合するので、支持枠Ｅの剛性を高めるために大きな寄与をしている（図２参照）。
【００３４】
下部支持部Ｃは、下部機器支持枠３、下部連結板７、支持柱下部延出部１ｂ、遊戯機器及び貸出機を上下移動するための位置調整機構（位置調整手段）Ｄ、前記支持柱下部延出部１ｂの最下端に設けられた床面固定手段Ｆと、からなる。
【００３５】
下部連結板７は、前面側と後面側の支持柱１に亘って設置された部材である。下部連結板７は、立上板７ａ、補強板７ｂと底板７ｃとが一体に形成されたものである（図３参照）。底板７ｃは支持柱１と同じ幅であり、長さが前面側と後面側の支持柱の間隔に等しく、両者を亘って水平に設置された細長い長方形の板である。この長方形の底板７ｃの一方の長辺には底板７ｃから垂直に補強板７ｂが立設されており、底板７ｃの両端部をなす両方の短辺からは、支持柱と同じ幅を持つ立上板７ａが底板７ｃに対して垂直に立設されている。補強板７ｂと立上板７ａは、長方形の底板７ｃの頂点の鉛直線上でお互いに連結している。
【００３６】
下部連結板７は、１枚の板ではなく、上述のように補強板７ｂを側面に有する構造であるので、このような部材により前面側と後面側の支持柱１とを係止することにより、支持枠Ｅの剛性を高めることが可能となる（図３参照）。
【００３７】
下部機器支持枠３は、遊戯機器および貸出機の下端位置を支持するための部材である。下部機器支持枠３は、一方と他方の支持柱１の間に設けられており、２本の短辺３ａ、２本の長辺３ｂ及び中辺３ｃという柱状材料からなる。
【００３８】
２本の短辺３ａは、一方と他方の支持柱１の対向面に、前記一方と他方の支持柱１がなす平面に対して鉛直に交差するように設置されている。また、この２本の短辺３ａは、前記一方と他方の支持柱１がなす平面を基準（基準面）としたときに、非対称に設置されており、基準面から支持枠外向きの部分の長さが長く、基準面から支持枠内向きの長さが短い。
【００３９】
このように、支持柱１に設置された２本の短辺３ａの両端部には、それぞれ長辺３ｂが係合されており、下部機器支持枠３は略長方形の枠状構造を形成している。さらに、この枠状構造の内部に、２本の長辺３ｂと平行に、中辺３ｃが係合されている。
【００４０】
また、この２本の短辺３ａの支持柱１との交差部において、下部機器支持枠３は、後述の位置調整機構Ｄと接続されており、下部機器支持枠３全体が遊戯機器の種類によって上下自在となるように構成されている。以下、本実施の形態においてパチンコ台とパチスロ台の機種変更に伴う下部機器支持枠３の高さ調整について、位置調整機構Ｄの要部拡大図である図４（ａ）を用いて説明する。
【００４１】
下部支持部Ｃにおいて、１組の機器セットの下端位置を保持する下部機器支持枠３は遊戯機器の種類により上下動自在となるように構成されている。下部機器支持枠３には一方と他方の支持柱下部延出部１ｂの対向面に着接する機器支持枠側ガイド支柱１１が設けられており、この機器支持枠側ガイド支柱１１には所定の位置に２箇所のネジ穴１３を有する機器支持柱調整板１２が接続されている。
【００４２】
また、一方と他方の支持柱下部延出部１ｂには、その内側面部に下部延出部調整板１６が設けられており、この下部延出部調整板１６は、パチンコ台とパチスロ台の設置高さの違いに対応した間隔で３箇所のネジ穴１３を有している。
【００４３】
前記機器支持枠側ガイド支柱１１を支持柱下部延出部１ｂと下部延出部調整板１６とに着接しながら上下に摺動させ、前記下部延出部調整板１６と前記機器支持柱調整板１２とのネジ穴１３が合致した高さにおいてネジ穴１３を止付ボルト１４により止め付けることで、遊戯機器の変更に伴う位置調整を行う。
本位置調整機構Ｄでは、ネジ穴１３が作業者と対面する方向に開口しているので、ボルト止め作業を容易に行うことが可能である。
【００４４】
また、位置調整機構Ｄは、図４（ａ）に示したものに限定されず、例えば、図４（ｂ）に示したような位置調整機構Ｄを採用しても良い。図４（ｂ）の位置調整機構Ｄは、図４（ａ）より機器支持柱調整板１２と下部延出部調整板１６とが除かれた構成となっており、機器支持枠側ガイド支柱１１を貫通する２つのネジ穴１３が機器支持枠側ガイド支柱１１の側面部に開口している。さらに、支持柱下部延出部１ｂにも同様に支持柱下部延出部１ｂを貫通するネジ穴１３が側面部に開口されており、機器支持枠側ガイド支柱１１のネジ穴１３と支持柱下部延出部１ｂのネジ穴１３とが合致した高さにおいて、止付ボルト１４で固定を行う。
【００４５】
また、図４（ａ）を用いて、床面固定手段Ｆについて説明する。床面固定手段Ｆは、支持枠Ｅを床面に埋設されたアンカーボルト２０と係合し、床面に固定するためのものである。床面固定手段Ｆは、アンカーボルト設置板１７、止付ナット１９及び高さ調整ナット（調整部）１８とからなる。
【００４６】
アンカーボルト設置板１７は、支持枠Ｅの上空から見たときに一本の支持柱下部延出部１ｂの両側面に１個ずつ設置されており、形状は、支持枠Ｅの正面から見たときに断面が略Ｌ字形の部材である。
【００４７】
アンカーボルト設置板１７は、支持柱下部延出部１ｂの側面に固定された固定板１７ａと、この固定板１７ａに接続された床面と平行であり、所定の個所にアンカーボルト貫通孔が開口されたアンカーボルト係止板１７ｂとからなる。尚、アンカーボルト係止板１７ｂは床面と接触する支持柱下部延出部１ｂの最下端部よりも若干高い位置に設置されており、それゆえ、アンカーボルト係止板１７ｂと床面の間には若干の間隙が存在している。
【００４８】
支持枠Ｅの上空から見たときに、アンカーボルト２０は支持柱１よりも若干支持枠の内側にずれた位置に設置されるので、それに対応して、アンカーボルト設置板１７も、支持柱下部延出部１ｂから支持枠内側に若干はみ出して設置されている。
【００４９】
アンカーボルト２０は、アンカーボルト係止板１７ｂの中央部のアンカーボルト貫通孔に貫通される。アンカーボルト２０には、止付ナット１９及び高さ調整ナット１８がアンカーボルト係止板１７ｂを挟むように取り付けられており、これら２つのナット（１８、１９）を締め付けることにより、アンカーボルト設置板１７とアンカーボルト２０とを固定する。
【００５０】
図７に、アンカーボルト２０に固定された本支持枠を上空から見た時の模式図を示した。床面に埋設されたアンカーボルト２０は、支持枠Ｅを設置するライン（図中では、遊戯機器設置ラインと記載）に沿って、各々のアンカーボルト設置板１７に対して２本ずつ床面に埋設されている。このように本発明は、各々の支持柱下部延出部１ｂを２本のアンカーボルト２０で床面に固定することとしているので、従来問題となっていた、アンカーボルト２０を中心とする支持柱の回転を抑制することが可能となった。これにより、複数の支持枠Ｅを接続してパチンコ島を形成する際に、支持枠Ｅごとのガタつきを抑制し、上空から見た場合に長方形型のパチンコ島を得ることが可能となった。
【００５１】
本発明の支持枠Ｅは、図４（ａ）に示したように、２つのナット（止付ナット１９及び高さ調整ナット１８）で、アンカーボルト係止板１７ｂを挟みつけることで床面に固定されている。それゆえ、支持枠を設置する床面に凹凸があったとしても、高さ調整ナット（調整部）１８を上下に調整することで支持枠Ｅの高さを調整し、床面の凹凸を吸収した上で、止付ナット１９で支持枠Ｅを固定することが可能となるので、パチンコ島を形成する際に個々の支持枠の高さを揃えることが可能となる。
【００５２】
図５に、パチンコ台ＰＴ及びパチスロ台ＰＳを本実施の形態の支持枠Ｅに設置した状態の側面図を示す。
図５の左側にはパチンコ台ＰＴが設置された様子が示されている。パチンコ台ＰＴは、前記下部機器支持枠３に下端を支持され、側面部を支持柱１で保持された状態で設置されている。本実施の形態の支持枠Ｅでは、パチンコ台ＰＴ及び貸出機を支持枠Ｅに収納した際に、支持柱１がパチンコ台ＰＴと同一平面となる表面に露出することが重要な構成である。このように支持柱１が支持枠Ｅの表面側に配置されることにより支持枠Ｅ内部に広い空間を確保することが可能となり、支持枠Ｅ内部に各種の電子機器やパチンコ玉搬送装置等を設置することが容易になる。
【００５３】
図５の右側には、パチスロ台ＰＳが設置されている。パチスロ台ＰＳは、パチンコ台ＰＴよりも設置される高さが低いので、前述の位置調整機構Ｄにより高さ調整を行っている。
また、パチスロ台ＰＳは設置箇所がパチンコ台ＰＴよりも低い位置にあり、前記上部機器支持板２とパチスロ台ＰＳ及び貸出機との間に間隙が生じてしまう。本実施の形態ではこの間隙にスペーサーＳを嵌挿し上部機器支持板２とパチスロ台及び貸出機とをこのスペーサーＳを介して支持する構成とした。なお、このスペーサーＳは、遊戯者と対面する位置に開口を有し、この開口部にコインを収納できる容器、所謂ドル箱を載置できるようにしてもよい。
【００５４】
図６には、遊戯機器（パチンコ台）と貸出機とを設置した本発明の支持枠の正面図を示す。図６（ａ）は、従来どおりパチンコ台ＰＴの左側に貸出機Ｋを設置した例であり、図６（ｂ）はパチンコ台ＰＴの右側に貸出機Ｋを設置した例である。本発明の支持枠Ｅでは、このように、遊戯機器の左右どちら側にでも貸出機を設置することが可能となった。
【００５５】
また、本発明の支持枠Ｅを構成する枠材としては、規格品の金属製柱材により形成することが可能であり、材料の入手の容易さ、リサイクル性に優れている。
【００５６】
【発明の効果】
▲１▼  本発明の遊戯機器及び貸出機の支持枠は、支持柱を中段支持部の前面に露出させる構成としたので、支持枠内部に遊戯機器を運転するために必要な各種機器を収納する空間を広く確保することが可能となった（請求項１）。
【００５７】
▲２▼  また、１組の機器セットを保持する中段支持部は一方と他方の支持柱に何ら構造的な差異がないので、支持枠に特別な変更を加えなくとも、貸出機を遊戯機器の左右どちらにでも配置することが可能となった（請求項１）。
【００５８】
▲３▼  また、下部支持部に設けた位置調整機構により、遊戯機器の変更に伴う位置調整が容易に可能となった（請求項１）。
【００５９】
▲４▼  また、支持枠には、特別な加工を必要とする材料が使用されておらず、金属柱を組み合せにより構成されているので、支持枠材料として規格品を用いることができる（請求項１）。
【００６０】
（５）また、床面固定手段により、支持枠全体の高さの調整を行うことが可能であるので、支持枠を固定する床面に凹凸があったとしても各々の支持枠の高さを揃えることが可能となった（請求項１）。
【００６１】
（６）さらに、各々の床面固定手段を２本のアンカーボルトで固定することとしたので、支持柱の回転を抑制することができ、上空から見た場合に支持枠のガタつきを抑えることが可能となった（請求項１）。
【００６２】
（７）また、パチンコ台からパチスロ台に遊戯機器を変更した場合にも上部支持部とパチスロ台との間に生じた間隙にスペーサーを嵌挿することにより、簡便に遊戯機器の変更を行うことが可能となった（請求項２）。
【図面の簡単な説明】
【図１】  本発明にかかる支持枠を示す斜視図である。
【図２】  本発明にかかる支持枠の要部拡大図である。
【図３】  本発明にかかる支持枠の要部拡大図である。
【図４】  位置調整機構と、床面固定手段の要部拡大図である。
【図５】  本発明の支持枠にパチンコ台とパチスロ台を配置した状態の側面図である。
【図６】  遊戯機器と貸出機を本発明の支持枠に設置した状態の正面図である。
【図７】  アンカーボルトに固定された支持枠を上空から見た時の模式図である。
【図８】  第一の引例の斜視図である。
【図９】  第二の引例の斜視図である。
【符号の説明】
Ａ    ：上部支持部
Ｂ    ：中段支持部
Ｃ    ：下部支持部
Ｄ    ：位置調整機構
Ｅ    ：支持枠
Ｆ    ：床面固定手段
１    ：支持柱
１ａ  ：支持柱上部延出部
１ｂ  ：支持柱下部延出部
２    ：上部機器支持板
３    ：下部機器支持枠
３ａ  ：短辺
３ｂ  ：長辺
３ｃ  ：中辺
４    ：上部連結板
５    ：前後連結柱
６    ：左右連結柱
７    ：下部連結板
７ａ  ：立上板
７ｂ  ：補強板
７ｃ  ：底板
１１  ：機器支持枠側ガイド支柱
１２  ：機器支持柱調整板
１３  ：ネジ穴
１４  ：止付ボルト
１５  ：下部延出部側ガイド支柱
１６  ：下部延出部調整板
１７  ：アンカーボルト設置板
１７ａ：固定板
１７ｂ：アンカーボルト係止板
１８  ：高さ調整ナット
１９  ：止付ナット
２０  ：アンカーボルト
ＰＳ  ：パチスロ台
ＰＴ  ：パチンコ台
Ｋ    ：貸出機
Ｓ    ：スペーサー
【図１】
0003866924.tif 000002
【図２】
0003866924.tif 000003
【図３】
0003866924.tif 000004
【図４】
0003866924.tif 000005
【図５】
0003866924.tif 000006
【図６】
0003866924.tif 000007
【図７】
0003866924.tif 000008
【図８】
0003866924.tif 000009
【図９】
0003866924.tif 000010